(57)【要約】【課題】水道の水圧に耐えられると共に新鮮な水をより多く貯水することができる非常用貯水タンクを提供する。【解決手段】非常用貯水タンク１を、底板１５の外周に沿って水密に溶接され上方へ立上る外周板で囲まれた空間内に、連続した一つの流路Ｂが形成されるように交互に配置されると共に底板１５及び外周板に溶接固定される複数の板状の仕切板１９、及び仕切板１９の配置と対応する複数の開口部を有し、開口部から臨む仕切板１９と外周板とに水密に溶接される天板を備えた箱体１０と、流路Ｂの一方の端部と連通し水道管と接続される流入接続部１１と、流路Ｂの他方の端部と連通し、供給される水道水を適宜処理して販売する自動販売機Ａの水道水供給側と接続される流出接続部１２と、流出接続部１２の近傍から流路Ｂ内の水を外部へ取出し可能な取出部１３と、自動販売機Ａの上に載置固定するための取付固定部１４とで構成する。【選択図】図２
2010168795.tif 000002
【特許請求の範囲】
【請求項１】
平面視矩形状で板状の底板、該底板の外周に沿って水密に溶接され上方へ立上る板状の外周板、該外周板と同じ又は若干高い高さとされ、前記底板と前記外周板とで囲まれた空間内に連続した一つの流路が形成されるように交互に配置されると共に前記底板及び前記外周板に溶接固定される複数の板状の仕切板、及び該仕切板の配置と対応する複数の開口部を有し、該開口部が水密に閉鎖されるように該開口部から臨む位置で前記仕切板と溶接されると共に外周が前記外周板と水密に溶接され、前記底板と略同形状で板状の天板、を備えた箱体と、
該箱体内の前記流路における一方の端部と連通し、上水道が流通する水道管と接続される流入接続部と、
該流入接続部とは反対側で前記箱体内の前記流路における他方の端部と連通し、供給される水道水を適宜処理して販売する自動販売機の水道水供給側と接続される流出接続部と、
該流出接続部の近傍から前記箱体内の前記流路内の水を外部へ取出し可能な取出部と、
前記箱体の外側下部に備えられ、前記自動販売機の上に載置固定するための取付固定部と
を具備することを特徴とする非常用貯水タンク。
【請求項２】
前記箱体は、
前記外周板における前記仕切板の延びる方向と同じ方向へ延びた部分の内側に溶接固定され前記外周板を補強するリブ状の補強板を更に備えていることを特徴とする請求項１に記載の非常用貯水タンク。
【発明の詳細な説明】
【技術分野】
【０００１】
本発明は、供給される水道水を適宜処理して販売する自動販売機の上に載置され、流入側が水道管に接続されると共に流出側が自動販売機に接続されて、非常時に新鮮な水を提供することができる非常用貯水タンクに関するものである。
【背景技術】
【０００２】
従来、特許文献１に示すような、水道の水圧に耐えられるタンク内を仕切板で交互に仕切ることで、水がタンク内を蛇行するようにして滞留箇所を無くし、一方を水道の蛇口に直結させると共に他方を洗濯機等に接続させて常時水が流れるようにして、常に新鮮な水を蓄えられるようにした非常用飲料水タンクが提案されている。
【０００３】
また、特許文献２に示すような、散水栓へ繋がる水道管に、蛇行させた送水管を収容する箱体を家屋の外に隣接して配置すると共に、その送水管を水道管と接続した上で散水栓へと繋げるようにした飲料水貯蔵装置が提案されている。このものは、蛇行状の送水管を箱体内に収容することで、地震等により家屋が倒壊しても水を蓄えた送水管が破損するのを防止することができるようにしたものである。
【発明の概要】
【発明が解決しようとする課題】
【０００４】
しかしながら、特許文献１では、水道の水圧に耐えられるタンクの具体的な構成が開示されておらず、実際に製造しようとすると、引用文献２のもののように、水道管に用いられる直管や曲管を組合せたり、蛇腹管等のフレキシブル管を用いたりして蛇行状の流路を形成することとなり、流路の断面形状が円形状となり管同士の間に隙間が形成されるので、タンク全体の外形寸法に対して実際に貯水できる容量が少なくなる問題がある。
【０００５】
また、特許文献１や特許文献２のものは、水を蓄えたタンクを床や地面に載置するようにしており、貯水した水を使用するにはタンクを持上げないと取出せないので、非常時に使用し難い問題がある。また、従来のものではタンクを家屋内や家屋に隣接して設置するようにしているので、地震等により家屋が倒壊した場合、タンク自体は無事でもタンクが倒壊した家屋の下敷となって直には使用することができない問題がある。
【０００６】
そこで、本発明は上記の実情に鑑み、水道の水圧に耐えられると共に新鮮な水をより多く貯水することができる非常用貯水タンクの提供を課題とするものである。
【課題を解決するための手段】
【０００７】
上記の課題を解決するために、本発明に係る非常用貯水タンクは、「平面視矩形状で板状の底板、該底板の外周に沿って水密に溶接され上方へ立上る板状の外周板、該外周板と同じ又は若干高い高さとされ、前記底板と前記外周板とで囲まれた空間内に連続した一つの流路が形成されるように交互に配置されると共に前記底板及び前記外周板に溶接固定される複数の板状の仕切板、及び該仕切板の配置と対応する複数の開口部を有し、該開口部が水密に閉鎖されるように該開口部から臨む位置で前記仕切板と溶接されると共に外周が前記外周板と水密に溶接され、前記底板と略同形状で板状の天板、を備えた箱体と、該箱体内の前記流路における一方の端部と連通し、上水道が流通する水道管と接続される流入接続部と、該流入接続部とは反対側で前記箱体内の前記流路における他方の端部と連通し、供給される水道水を適宜処理して販売する自動販売機の水道水供給側と接続される流出接続部と、該流出接続部の近傍から前記箱体内の前記流路内の水を外部へ取出し可能な取出部と、前記箱体の外側下部に備えられ、前記自動販売機の上に載置固定するための取付固定部とを具備する」ことを特徴とするものである。
【０００８】
ここで、「外周板」としては、「底板の各辺に夫々沿った四つの板体からなるもの」、「帯状の板体を底板の外周に沿うように折り曲げたもの」、「切削加工や押出成形等により枠状に一体成形されたもの」、等を例示することができる。
【０００９】
また、仕切板と天板の開口部との溶接による接合としては、「仕切板の高さを外周板よりも高くすると共に、天板の開口部を長さが仕切板の全長と略同じで幅が仕切板の板厚よりも若干大きいスリット状に形成し、仕切板の上端を開口部に挿入した上で開口部が閉鎖されるように仕切板の上端と開口部とを水密に溶接したもの」、「外周板と同じ高さの仕切板の上端の複数箇所に上方へ突出する突出部を形成すると共に、天板の開口部を仕切板の突出部が嵌合可能な嵌合穴として形成し、突出部を嵌合穴に嵌合させた上で嵌合穴が閉鎖されるように突出部と嵌合穴とを水密に溶接したもの」、等を例示することができる。
【００１０】
更に、供給される水道水を適宜処理して販売する「自動販売機」としては、「供給された水道水を加熱したり冷却したり或いは凍らせたりした上で、飲料用の粉末と混合して飲料水を生成しカップに注いだ形態で販売するもの」、「供給された水道水を凍らせて氷を販売するもの」、「供給された水道水を加熱して熱湯を販売するもの」、「供給された水道水を加熱した上で即席麺や即席スープの入った容器に注いで販売するもの」、等を例示することができる。
【００１１】
本発明の非常用貯水タンクによると、貯水タンクとなる箱体内に配置された複数の仕切板の上下を夫々底板及び天板に溶接するようにしており、底板及び天板が外周板だけでなく仕切板によっても連結されることとなるので、箱体の耐圧強度が高くなり水道の水圧に充分耐えられるものとすることができる。また、底板、天板、外周板、及び複数の仕切板によって箱体内に形成される水道水の流路の断面形状を、矩形状としているので、箱体の外形寸法に対して貯水できる水の量を可及的に多くすることができる。
【００１２】
また、水を貯水する箱体内の流路に対して、一方の端部を水道管と接続すると共に、他方の端部を供給される水道水を適宜処理して販売する自動販売機の水道水供給側と接続するようにしているので、自動販売機が使用され続けることで流路内の水が随時流通し、常に新鮮な水道水を貯水することができる。また、箱体を自動販売機の上に取付固定部を介して固定するようにしているので、箱体（非常用貯水タンク）が床や地面等よりも高い位置となり、箱体内に貯水された水を取出部から簡単に取出して使用することができる。
【００１３】
更に、非常用貯水タンクを自動販売機の上に載置固定するようにしているので、地震等による家屋の倒壊に巻き込まれ難くい街角等屋外に設置された自動販売機の上に載置することができ、災害時等の非常時に貯水した水を直ちに使用することができる。また、取出部を流出接続部の近傍に備えるようにしているので、流路内に貯水された水を古い順に取出すことができ、古い水が最後まで流路内に残るのを防止することができる。なお、流出接続部の近傍とは、流路の長さに対して比較的近い位置であり、直線的に近くても流路として遠い場合は含まないものである。
【００１４】
なお、近年、自動販売機において、災害時に内部の飲料水を無料で供給することができるようにしたものが種々提案されている。しかしながら、飲料水では入浴や洗濯等の生活用水に使用することが困難であるが、本発明の非常用貯水タンクによると、非常時に自動販売機からは飲料水を提供すると共に、自動販売機の上に載置された非常用貯水タンクからは生活用水を提供することができ、自動販売機と合わせて災害等の非常時に、被災者等に対して必要な水を提供することができる。
【００１５】
また、非常用貯水タンク内に貯水した水を、断水時に下側の自動販売機へ供給することもできるので、非常用貯水タンクを載置した自動販売機に電気が供給されていれば、たとえ断水時でも自動販売機から飲料水を販売することができ、地震等の災害時以外でも役立つものとすることができる。
【００１６】
なお、非常用貯水タンクの外周を公知の断熱材で覆うようにしても良く、これにより、貯水した水温と外気温との差によってタンク周りに結露が発生したり、夏場にタンク内の水温が高くなってしまったり、冬場にタンク内の水が凍結してしまったりするのを防止することができる。
【００１７】
また、本発明に係る非常用貯水タンクは、上記の構成に加えて、「前記箱体は、前記外周板における前記仕切板の延びる方向と同じ方向へ延びた部分の内側に溶接固定され前記外周板を補強するリブ状の補強板を更に備えている」ことを特徴とするものである。
【００１８】
ところで、非常用貯水タンクの箱体では、底板と天板には複数の仕切板が所定間隔で溶接されており、また、外周板における仕切板の長手方向両端側の部分にも複数の仕切板が所定間隔で溶接されているので、それらの強度・剛性が高められ水道の水圧がかかっても変形する虞がない。また、仕切板では、夫々両側が流路となっているので、両側から均等に水圧がかかり、水圧によって変形することはない。しかしながら、外周板における仕切板と平行に延びた部分には、上下が天板及び底板に溶接されているだけなので、水道水の水圧によって変形する虞がある。
【００１９】
これに対して、本発明の非常用貯水タンクは、箱体の外周板における仕切板の延びる方向と同じ方向へ延びた部分に複数の補強板を溶接するようにしているので、その部分の強度・剛性を高めることができ、箱体が水道の水圧によって変形するのを確実に防止することができる。
【発明の効果】
【００２０】
このように、本発明によれば、水道の水圧に耐えられると共に新鮮な水をより多く貯水することができる非常用貯水タンクを提供することができる。
【図面の簡単な説明】
【００２１】
【図１】本発明に係る非常用貯水タンクを示す斜視図である。
【図２】図１の非常用貯水タンクの内部を示す断面図である。
【図３】図１の非常用貯水タンクの溶接構造を概略で示す断面図である。
【発明を実施するための形態】
【００２２】
本発明の一実施形態である非常用貯水タンクについて、図１乃至図３を参照して説明する。図１は、本発明に係る非常用貯水タンクを示す斜視図である。図２は、図１の非常用貯水タンクの内部を示す断面図である。図３は、図１の非常用貯水タンクの溶接構造を概略で示す断面図である。本実施形態の非常用貯水タンク１は、上水道から供給される水道水を適宜処理して販売する自動販売機Ａの上に載置固定されるものであって、直方体状の箱体１０と、箱体１０における四隅の内の一つに固定され上水道が流通する水道管と接続される流入接続部１１と、流入接続部１１とは左右方向の反対側の隅に固定され自動販売機Ａの水道水供給側（図示は省略）と接続される流出接続部１２と、流出接続部１２の近傍で箱体１０の前面下部に固定された取出部１３と、箱体１０の外側下部に備えられ箱体１０を自動販売機Ａの上に固定するための取付固定部１４とを備えている。
【００２３】
この非常用貯水タンク１における箱体１０は、平面視横長の矩形状で板状の底板１５と、底板１５の前辺から立上るように底板１５と水密に溶接される前板１６と、前板１６と同じ高さで底板１５の後辺から立上るように底板１５と水密に溶接される後板１７と、前板１６及び後板１７と同じ高さで底板１５の左右側辺から立上るように底板１５、前板１６及び後板１７と夫々水密に溶接される二つの側板１８と、前板１６、後板１７及び側板１８と、底板１５とで囲まれた空間内に連続した一つの流路Ｂが形成されるように交互に配置されると共に底板１５、前板１６、後板１７及び側板１８に溶接固定される複数の板状の仕切板１９と、仕切板１９で仕切られた流路Ｂの上側開口を閉鎖するように前板１６、後板１７、側板１８、及び仕切板１９の上端に夫々水密に溶接され底板１５と略同形状で板状の天板２０と、を備えている。
【００２４】
更に詳述すると、この箱体１０の複数（本例では１１枚）の仕切板１９は、その長さが左右の側板１８よりも短い長さとされ、図２に示すように、左右方向へ略等間隔に配置されていると共に、長手方向（前後方向）の端部が一つ置きに前板１６又は後板１７と接するように配置されており、底板１５と、前板１６又は後板１７と接した部分が溶接により固定されている。これにより、箱体１０は、複数の仕切板１９によって底板１５、前板１６、後板１７、及び側板１８で囲まれた空間内に、一つの連続した蛇行状の流路Ｂが形成されている。なお、本例では、前板１６、後板１７、及び左右の側板１８によって、箱体１０の外周板が構成されている。また、図３中の符号２５は、溶接部を示している。
【００２５】
また、複数の仕切板１９は、前板１６、後板１７及び側板１８よりも若干高い高さとされている。一方、天板２０には、仕切板１９の配置と対応する位置に、長さが仕切板１９よりも長く、幅が仕切板１９の板厚よりも若干大きいスリット状の開口部２０（図３を参照）が複数形成されている。そして、天板２０の開口部２１内に仕切板１９の上端が挿入されるように天板２０を、前板１６、後板１７及び側板１８の上端に載置した状態で、天板２０の外周と、前板１６、後板１７及び側板１８の上端とが夫々水密に溶接されていると共に、開口部２１から天板２０の上面へ臨んだ仕切板１９の上端に対し、開口部２１が閉鎖されるように天板２０と仕切板１９とが上側から水密に溶接されている。
【００２６】
この非常用貯水タンク１の流入接続部１１は、上述したように箱体１０内で複数の仕切板１９により形成された流路Ｂの一方の端部と連通するように天板２０を貫通して箱体１０に水密に固定されている。また、流出接続部１２は、流路Ｂの他方の端部と連通するように天板２０を貫通して箱体１０に水密に固定されている。更に、取出部１３は、流路Ｂの長さに対して流出接続部１２の近傍となる位置で前板１６を貫通して箱体１０に水密に固定されている。なお、詳細な図示は省略するが、流入接続部１１、流出接続部１２、及び取出部１３は、管状とされていると共に、箱体１０に対して外側端部には、他の配管と接続するためのネジ部又はカプラを有しており、そのネジ部等を介して他の配管と接続されるようになっている。
【００２７】
更に、本実施形態の非常用貯水タンク１は、箱体１０に仕切板１９の延びる方向と同じ方向へ延びた側板１８に所定間隔で溶接固定され側板１８を補強するリブ状の補強板２２を備えており、側板１９が複数の補強板２２によって補強されることで、箱体１０の耐圧強度が高められている。また、非常用貯水タンク１は、取出部１３の開口を閉鎖する止水キャップ２３を備えている。更に、取付固定部１４には、自動販売機Ａに固定するための取付穴２４が形成されている。
【００２８】
なお、図示は省略するが、流入接続部１１には、箱体１０内の水が水道管側へ逆流するのを防止する逆止弁と、取出部１３から貯水した水を取出す際に箱体１０内へ空気を供給する空気弁とが備えられていると共に、流出接続部１２には、自動販売機Ａ側への水の供給を遮断する止水栓が備えられている。
【００２９】
因みに、本実施形態の非常用貯水タンク１は、底板１５、前板１６、後板１７、側板１８、仕切板１９、及び天板２０が、厚さ２ｍｍ〜５ｍｍのステンレス板とされていると共に、長さが約９００ｍｍ、奥行が７００ｍｍ、高さが１６０ｍｍとされ、約１００リットルの水道水を貯水することができるようになっている。なお、箱体１０の外形寸法、仕切板１９の枚数及び配置パターンは、上記に限定するものではなく、適宜の寸法や、枚数及びパターンとすることができる。
【００３０】
本実施形態の非常用貯水タンク１は、通常の状態では、流入接続部１１から箱体１０内へ流入した水道水が、一本の蛇行状の流路Ｂを流通して流出接続部１２から自動販売機Ａへと供給されるようになっている。この箱体１０の流路Ｂ内では自動販売機Ａが作動する毎に水道水が流れて滞留しないので、常に新鮮な水道水を貯水することができるようになっている。また、非常用貯水タンク１では、流路Ｂ内を水道水が流れることにより流路Ｂを形成する箱体１０の内側に不純物等が付着し難く、箱体１０内を洗浄する必要がなくメンテナンスフリーとすることができるようになっている。
【００３１】
一方、災害発生等の非常時には、取出部１３の止水キャップ２３を外すことで、箱体１０の流路Ｂ内に貯水された水を取出部１３から取出すことができるようになっている。なお、取出部１３から水を取出す際に、流入接続部１１に備えられた空気弁から流路Ｂ内へ空気が供給されるので、取出部１３から流出する水が脈打つことなく良好に取出すことができるようになっている。また、流入接続部１１には、逆止弁が備えられているので、何らかの理由により箱体１０内に貯水された水が水道管側へ逆流して貯水した水が無くなってしまうのを防止することができるようになっている。
【００３２】
このように、本実施形態の非常用貯水タンク１によると、箱体１０内に配置された複数の仕切板１９の上下を夫々底板１５及び天板２０に溶接するようにしており、底板１５及び天板２０が外周の前板１６、後板１７、及び側板１８だけでなく仕切板１９によっても連結されることとなるので、箱体１０の耐圧強度が高くなり水道の水圧に充分に耐えられるものとすることができる。また、側板１８の内側を複数の補強板２２によって補強するようにしているので、水圧によって側板１８が変形するのを防止することができ、箱体１０の耐圧強度を高くすることができる。更に、底板１５、天板２０、前板１６、後板１７、側板１８、及び複数の仕切板１９によって箱体１０内に形成される水道水の流路Ｂの断面形状を、矩形状としているので、箱体１０の外形寸法に対して貯水できる水の量を可及的に多くすることができる。
【００３３】
また、水を貯水する箱体１０内の流路Ｂに対して、一方の端部を水道管と接続すると共に、他方の端部を自動販売機Ａの水道水供給側と接続するようにしているので、自動販売機Ａが使用され続けることで流路Ｂ内の水が随時流通し、常に新鮮な水道水を貯水することができる。また、箱体１０を自動販売機Ａの上に取付固定部１４を介して固定するようにしているので、非常用貯水タンク１が床や地面等よりも高い位置となり、箱体１０内に貯水された水を取出部１３から簡単に取出して使用することができる。
【００３４】
更に、非常用貯水タンク１を自動販売機Ａの上に載置固定するようにしているので、地震等による家屋の倒壊に巻き込まれ難くい街角等屋外に設置された自動販売機Ａの上に載置することができ、災害時等の非常時に貯水した水を直ちに使用することができる。また、災害等の非常時に内部の飲料水を無料で供給することができるようにした自動販売機Ａの上に本例の非常用貯水タンク１を載置固定すると、非常時に自動販売機Ａからは飲料水を提供すると共に、非常用貯水タンク１からは生活用水を提供することができる。
【００３５】
また、非常用貯水タンク１内に貯水した水を、断水時に下側の自動販売機Ａへ供給することもできるので、非常用貯水タンク１を載置した自動販売機Ａに電気が供給されていれば、たとえ断水時でも自動販売機Ａから飲料水を販売することができ、地震等の災害時以外でも役立つものとすることができる。
【００３６】
以上、本発明について好適な実施形態を挙げて説明したが、本発明はこの実施形態に限定されるものではなく、本発明の要旨を逸脱しない範囲において、種々の改良及び設計の変更が可能である。
【００３７】
すなわち、上記の実施形態では、仕切板１９と天板２０の開口部との接合構造において、仕切板１９を前板１６等の外周板よりも高くすると共に、天板２０の開口部２１を長さが仕切板１９の全長と略同じで幅が仕切板１９の板厚よりも若干大きいスリット状として仕切板１９の上端と開口部とを水密に溶接したものを示したが、これに限定するものではなく、例えば、仕切板１９の上端の複数箇所で前板１６等の外周板よりも高い突出部を形成すると共に、天板２０の開口部２１を仕切板１９の突出部が嵌合可能な嵌合穴とし、その嵌合穴を水密に閉鎖するように仕切板１９の突出部と嵌合穴とを溶接するようにしても良く、上記と同様の作用効果を奏することができる。
【００３８】
また、上記の実施形態では、箱体１０の外周板を、前板１６、後板１７、及び左右の側板１８によって構成したものを示したが、これに限定するものではなく、例えば、帯状の板を折曲げた上で端部同士を水密に溶接して筒状に形成した外周板としても良いし、切削加工や押出成形により筒状に形成された外周板としても良い。
【００３９】
更に、上記の実施形態では、箱体１０が略水平に設置されているものを示したが、これに限定するものではなく、例えば、取出部１３が低い位置となるように箱体１０を斜めに固定したり、取出部１３が流路Ｂに対して低い位置取るように底板１６を斜めに傾斜させるようにしたりしても良く、取出部１３を低くすることで、貯水した水をより取出し易くすることができる。
【００４０】
また、上記の実施形態では、流入接続部１１及び流出接続部１２を箱体１０の天板２０を貫通するように固定したものを示したが、これに限定するものではなく、例えば、後板１７や側板１８等の外周板を貫通するように固定しても良い。
【００４１】
更に、上記の実施形態では、自動販売機Ａの上に非常用貯水タンク１を一つ載置固定したものを示したが、これに限定するものではなく、本実施形態の非常用貯水タンク１を上下方向に複数積み重ねて使用しても良く、これにより、より多くの新鮮な水道水を貯水することができる。
【００４２】
また、上記の実施形態では、通常時に取出部１３を止水キャップ２３で閉鎖するものを示したが、これに限定するものではなく、例えば、取出部１３に水栓等のコックを設けるようにしても良く、これにより、箱体１０内の貯水した水を取出し易くして、非常用貯水タンク１の使い勝手を良くすることができる。更に、上記の実施形態では、非常用貯水タンク１を剥き出しの状態で自動販売機Ａの上に載置固定したものを示したが、これに限定するものではなく、非常用貯水タンク１（箱体１０）の外側を公知の断熱材で覆うようにしても良く、これにより、貯水した水温と外気温との差によってタンク周りに結露が発生したり、夏場にタンク内の水温が高くなってしまったり、冬場にタンク内の水が凍結してしまったりして、非常用貯水タンク１や自動販売機Ａに不具合が発生するを防止することができると共に、非常時に良好な状態の水を提供することができる。
【符号の説明】
【００４３】
１  非常用貯水タンク
１０  箱体
１１  流入接続部
１２  流出接続部
１３  取出部
１４  取付固定部
１５  底板
１６  前板（外周板）
１７  後板（外周板）
１８  側板（外周板）
１９  仕切板
２０  天板
２１  開口部
２２  補強板
２３  止水キャップ
２４  取付穴
２５  溶接部
【先行技術文献】
【特許文献】
【００４４】
【特許文献１】実用新案登録第３０４１３７１号公報
【特許文献２】特開２００１−２９５３２６号公報
【図１】
2010168795.tif 000003
【図２】
2010168795.tif 000004
【図３】
2010168795.tif 000005